(57)【特許請求の範囲】
【請求項１】
支持体の両端部に、上端にローラーを取着した二股状の脚部を有する吊下げ装置を設け、このローラーを搬送レール上に載置して該搬送レール上を移動するようにした搬送装置において、
前記吊下げ装置の一方の脚部を、
他方の脚部と一体に設けられた下部脚と、
この下部脚に対してぴんを介して前記ローラーの間隔を広げる方向に回動可能に設けられた上部脚と、
これら下部脚及び上部脚の外周に摺動可能に嵌合された固定管とを備え、
前記固定管は、常時は脚部の下端に位置し前記ぴんを覆って下部脚及び上部脚に嵌合しこれら下部脚及び上部脚を回動不能に固定するとともに上方へ移動したとき前記ぴんよりも上方に位置して前記下部脚から脱出して上記上部脚を回動させるように構成したことを特徴とする搬送装置の吊下げ装置。
【発明の詳細な説明】
【０００１】
【発明の属する技術分野】
本発明は、多数の衣服等を吊下げた状態で運搬する搬送装置の吊下げ装置に関する。
【０００２】
【従来の技術】
従来の搬送装置における吊下げ装置として、図４に示すように、支持体ａの両端部（片側のみ図示）に２本の脚部ｂを連結し、この脚部ｂにローラーｃを移動可能に嵌合させている。そして、ローラーｃを脚部ｂに取着したばねｄにより脚部ｂの上端部に位置させ、これらローラーｃを搬送レールｅに載置させている。
支持体ａにはハンガーに掛けた多数の衣服を吊下げて搬送レールｅ上を移動させている。衣服は工程に応じて異なる搬送レールｅに移載する必要があり、その都度、吊下げ装置を搬送レールｅから取外している。
吊下げ装置を搬送レールｅから取外す場合は、衣服及び支持体ａを支えながら両手で両側のローラーｃを矢印方向に押し下げてローラーｃの間隔を広げ、この間隔から搬送レールｅを通している。
【０００３】
【発明が解決しようとする課題】
然しながら、上記した吊下げ装置においては、支持体ａを支えながら両手でローラーｃを押し下げなければならないので、作業が甚だ煩雑であるという問題がある。
さらに、ローラーｃは搬送レールｅを移動するので油で汚れ易い。このローラーｃを手で操作すると、必然的に両手が油で汚れる。従って、吊下げ装置を取外すときに衣服を汚すという問題がある。
【０００４】
本発明は、上記の事情に鑑みてなされたもので、その目的は、取扱いが簡単であり、吊下げ装置を操作しても、両手が油で汚されることがない搬送装置の吊下げ装置を提供するにある。
【０００５】
【課題を解決するための手段】
本発明は、支持体の両端部に、上端にローラーを取着した二股状の脚部を有する吊下げ装置を設け、このローラーを搬送レール上に載置して該搬送レール上を移動するようにした搬送装置において、前記吊下げ装置の一方の脚部を、他方の脚部と一体に設けられた下部脚と、この下部脚に対してぴんを介して前記ローラーの間隔を広げる方向に回動可能に設けられた上部脚と、これら下部脚及び上部脚の外周に摺動可能に嵌合された固定管とを備え、前記固定管は、常時は脚部の下端に位置し前記ぴんを覆って下部脚及び上部脚に嵌合しこれら下部脚及び上部脚を回動不能に固定するとともに上方へ移動したとき前記ぴんよりも上方に位置して前記下部脚から脱出して上記上部脚を回動させるように構成したところに特徴を有する。
【０００６】
【発明の実施の形態】
以下、本発明を搬送装置１に適用した一実施例につき図１〜図３を参照して説明する。
図１において、支持体１１は、長尺の管材から形成されており、両端部に支持体１１を上下に貫通する孔１２が形成され、この孔１２に、上方からばね１３が挿入されている。このばね１３には、下端部にナット１４がねじ込まれ、上端部にはフック１５がねじ込まれている。そして、孔１２の下方からワシヤ１６及びボルト１７が挿入され、ボルト１７がナット１４に螺着して支持体１１に取着されている。
【０００７】
吊下げ装置２１は、図２に示すように、フック１５の孔１９に挿入された基部２２と、基部２２の両端から上方へ二股状に設けられた「く字状」の一方の脚部たる第１の脚部２３及び他方の脚部たる第２の脚部２４とから構成されており、上端部にローラー２５が回転可能に取着されている。
第１の脚部２３は、基部２２に一体に接続された下部脚２３ａと、下部脚２３ａに対してぴん２６を介して回動可能に連結された「く字状」の上部脚２３ｂとから構成されており、下部脚２３ａ及び上部脚２３ｂの外周に固定管２７が摺動可能に嵌合されている。
【０００８】
この固定管２７は、常時は、第１の脚部２３の下端に位置しその上端部はぴん２６を覆って上部脚２３ｂに嵌合しており、上部脚２３ｂが下部脚２３ａに対して回動不能に拘束している。また、上方へ摺動されたとき、その下端部がぴん２６よりも上方に位置して下部脚２３ａから脱出し、上部脚２３ｂが二点鎖線で示すように下部脚２３ａに対して回動可能にされる。
【０００９】
連結部材３１は、剛性を有する部材例えば金属製の板材から構成されており、支持体１１の両端面部に取付けられている。
この連結部材３１は、図３にも示すように、支持体１１の端面部に取付けられた基板部３２と、基板部３２の一方の端部３２ａ（例えば支持体１１の軸端に向かって右側の端部）から斜め前方へ突出した支持部３３と、支持部３３の先端から斜め後方に向けて設けられ支持体１１の中心線１１ａを横切る平板状の係合部３４と、基板部１１の他方の端部３２ｂ（例えば支持体１１の軸端に向かって左側の端部）に突設され支持部３３とほぼ平行なガイド部３５から構成されている。
搬送装置１は、２個の係合部３４が図３に示すように相互に係合することにより、隣接する２個の搬送装置１が相互に連結されて一体に移動する。
【００１０】
搬送装置１は、吊下げ装置２１が搬送レール２を跨ぐように配置され、ローラー２５が図２に示すように、搬送レール２の上面に載置される。そして、支持体１１に吊下げられた衣服は、搬送装置１とともに搬送レール２に沿って移動する。
【００１１】
吊下げ装置２１を搬送レール２から取外す場合は、支持体１１を片手で支え、図２に示すように、固定管２７を上方へ摺動させるとともに上部脚２３ｂを矢印Ａ方向へ倒せば、２個のローラー２５間の間隔が広くなるので、支持体１１を支えながら全体を下方へ移動すれば、搬送装置１を搬送レール２から取外すことができる。
尚、この作業は、搬送装置１が前後の搬送装置１に連結された状態においても、実施できる。
【００１２】
【発明の効果】
本発明は、支持体の両端部に、上端にローラーを取着した二股状の脚部を有する吊下げ装置を設け、このローラーを搬送レール上に載置して該搬送レール上を移動するようにした搬送装置において、
前記吊下げ装置の一方の脚部を、
他方の脚部と一体に設けられた下部脚と、
この下部脚に対してぴんを介して前記ローラーの間隔を広げる方向に回動可能に設けられた上部脚と、
これら下部脚及び上部脚の外周に摺動可能に嵌合された固定管とを備え、
前記固定管は、常時は脚部の下端に位置し前記ぴんを覆って下部脚及び上部脚に嵌合しこれら下部脚及び上部脚を回動不能に固定するとともに上方へ移動したとき前記ぴんよりも上方に位置して前記下部脚から脱出して上記上部脚を回動させるように構成したので、片手で支持体を支え、片手で上部脚を回動させてローラーの間隔を広げることができるので、操作が著しく簡単にでき、しかも、手がローラーに触れることもないので、両手を汚すことがない。従って、ハンガーに掛けた衣服を汚すことがないという優れた効果を奏するものである。
【図面の簡単な説明】
【図１】  搬送装置の斜視図である。
【図２】  吊下げ装置において固定管を破断した状態を示す斜視図である。
【図３】  ２個の連結部材を連結した状態を示す平面図である。
【図４】  従来の吊下げ装置の正面図である。
【符号の説明】
１  搬送装置
２  搬送レール
１１  支持体
２１  吊下げ装置
２２  基部
２３  第１の脚部（一方の脚部）
２３ａ下部脚
２３ｂ上部脚
２４  第２の脚部（他方の脚部）
２５  ローラー
２６  ピン
２７  固定管
【図１】
0003985199.tif 000002
【図２】
0003985199.tif 000003
【図３】
0003985199.tif 000004
【図４】
0003985199.tif 000005